(57)【要約】【課題】雌雄コネクタハウジングの形状を共通にして、雌雄コネクタハウジングの嵌合解離の防止を容易に行える嵌合保証部品付きのコネクタ及びその嵌合保証部品を提供することを目的とする。【解決手段】嵌合ロック手段４０が設けられ、相互に嵌合可能な雄型コネクタハウジング２０及び雌型コネクタハウジング３０に対して、雌雄コネクタハウジングの一方側２０に係合する第１フック部５２と、雌雄両コネクタハウジングの他方側３０に係合する第２フック部５３と、両フック部５２，５３の間の連結部とからなる嵌合保証部品５０を、嵌合ロック手段４０に被さる位置にロック可能に配設する。【選択図】　　　　図１
2004134308.tif 000002
【特許請求の範囲】
【請求項１】
相互に嵌合可能な雄型コネクタハウジング及び雌型コネクタハウジングの嵌合状態を維持する嵌合保証部品であって、
嵌合状態の前記雄雌両コネクタハウジングの外面に沿うように形成された連結部と、
前記連結部の一方側に形成され、前記雄型コネクタハウジングに係合する第１フック部と、
前記連結部の他方側に形成され、前記雌型コネクタハウジングに係合する第２フック部と、を有する嵌合保証部品。
【請求項２】
前記連結部は、前記第１フック部と前記第２フック部とが完全嵌合状態の前記雌雄コネクタハウジングに係合する長さを有する請求項１記載の嵌合保証部品。
【請求項３】
前記第１フック部及び前記第２フック部の少なくとも一方が、雌雄コネクタハウジングのいずれかに係合するときに、前記連結部に対して弾性変形可能に一体に設けられている請求項１または２に記載の嵌合保証部品。
【請求項４】
前記雌雄コネクタハウジングは、操作部が外面に現れる嵌合ロック手段を有し、前記連結部は、外面に現れる前記操作部を覆うように配設されている請求項１記載の嵌合保証部品。
【請求項５】
相互に嵌合可能な雄型コネクタハウジング及び雌型コネクタハウジングと、
前記雌雄コネクタハウジングの間に設けられ、雌雄コネクタハウジングの外面に現れる嵌合ロック手段と、
前記雌雄コネクタハウジングの一方側に係合する第１フック部と、前記雌雄両コネクタハウジングの他方側に係合する第２フック部と、両フック部の間の連結部とからなる嵌合保証部品であって、前記嵌合ロック手段に被さる位置に配設された嵌合保証部品と、を有して成る嵌合保証部品付きコネクタ。
【請求項６】
前記嵌合ロック手段は、
前記雌雄コネクタハウジングの一方の外面に沿って延びる片持ち状のロックアームであって、係合側ロック部を備えるロックアームと、
前記雌雄コネクタハウジングの他方の外面に、前記ロックアームが挿入又は被さるように設けられた受け部であって、前記係合側ロック部に対する被係合側ロック部を備える受け部とからなり、
前記１フック部は前記ロックアームに係止され、前記第２フック部は、前記受け部に係止される請求項５記載の嵌合保証部品付きコネクタ。
【発明の詳細な説明】
【０００１】
【発明の属する技術分野】
本発明は、嵌合する雌雄両コネクタハウジングの嵌合状態を維持する嵌合保証部品（Ｃｏｎｎｅｃｔｏｒ　Ｐｏｓｉｔｉｏｎ　Ａｓｓｕｒａｎｃｅ　ｄｅｖｉｃｅ又はＣＰＡ）付きのコネクタ、およびその嵌合保証部品にする。
【０００２】
【従来の技術】
雌雄コネクタハウジングの嵌合力を発生させる手段として、雌コネクタハウジングの内面に設けられた凹部と、雄コネクタハウジングの外面に設けられた凸部との係合によって嵌合力を発生させる凹凸係合タイプと、雌雄コネクタハウジングの外面にそれぞれ係合側ロック部を有するロックアームと被係合側ロック部を有する受け部とを設け、これら係合側ロック部と被係合側ロック部との係合によって嵌合力を発生させる構造のロック係合タイプとが知られている。
【０００３】
凹凸係合タイプは、凹凸部の係合力を上回る力で抜くと、嵌合の解離が可能である。ロック係合タイプは、ロックアームの一部に操作力を作用させてこれを弾性変形させることにより、係合側ロック部と被係合側ロック部の係合を解除し、雌雄コネクタハウジングの嵌合を解離することが可能である。
【０００４】
以上のような解離可能な嵌合ロック手段を有するコネクタは、冷蔵庫、洗濯機など種々の電化製品の配線に使用される。しかしながら、用途によっては、解離可能な嵌合ロック手段が好まれない場合がある。例えば、冷媒として引火性ガスを使用する冷蔵庫においては、不測の外力により嵌合ロック手段が解離することを防止する構造が望まれる。
【０００５】
雌雄コネクタハウジングの嵌合解離を防止する構成としては、例えば、ロック係合タイプの嵌合ロック手段の全体をハウジング内に完全に収納することにより、外部からのロックアーム操作による係合解除が不可能な構造にすることが考えられる。また、特開平１１−２６０８６号公報に開示のように、ロックアームとコネクタハウジングとの間にアーム保持部材を挿入し、外部からの操作によるロックアームの弾性変形を阻止することにより、係合解除を不可能な構造にするものが知られている。
【０００６】
【特許文献１】
特開平１１−２６０８６号公報（段落２２，図３参照）
【特許文献２】
特開平９−１７５０５号公報（段落１６−１７，図１参照）
【０００７】
【発明の解決しようとする課題】
しかしながら、上述した嵌合解離を防止する構造は、嵌合ロック手段を覆う為の形状を有するコネクタハウジング、又はアーム保持のためのインサートが挿入できる為のコネクタハウジングにする必要がある。そのため、異なる形状のコネクタハウジングを有する特殊用途向けに特別に少量生産する必要が生じる。
【０００８】
ところが、この種コネクタにおける製品種の展開は、嵌合ロック手段の形状は共通であるが、極数が少数極から多数極まで対応可能とするように行われるのが一般的である。そのため、極数毎に、解離可能なコネクと解離不可能なコネクタとを生産する必要が生じる。そのため、用意すべきコネクタハウジングの数が倍になるという問題点がある。また、この種のコネクタ搭載器具において、使用箇所によって、解離可能なコネクタと解離不可能なコネクタとを使い分けるような場合、お互いを取り違えて取り付ける恐れがある。
【０００９】
本発明は、上記問題点に鑑みてなされたものであり、雌雄コネクタハウジングの形状を共通にして、雌雄コネクタハウジングの嵌合解離の防止を容易に行える嵌合保証部品付きのコネクタ及びその嵌合保証部品を提供することを目的とする。
【００１０】
【課題を解決するための手段】
上記課題を解決する本発明の請求項１に記載の嵌合保証部品は、相互に嵌合可能な雄型コネクタハウジング及び雌型コネクタハウジングの嵌合状態を維持する嵌合保証部品であって、嵌合状態の前記雄雌両コネクタハウジングの外面に沿うように形成された連結部と、前記連結部の一方側に形成され、前記雄型コネクタハウジングに係合する第１フック部と、前記連結部の他方側に形成され、前記雌型コネクタハウジングに係合する第２フック部と、を有するものである。
【００１１】
この構成によると、嵌合状態の雌雄コネクタハウジングの一方側に係合するように第１フック部を係合させ、嵌合状態の雌雄コネクタハウジング他方側に係合するように第２フック部を係合させると、連結部を介して嵌合状態の雌雄コネクタハウジングがロックされる。そのため、雌雄コネクタハウジングの解離防止は嵌合保証部品によって強固に保証される。また、雌雄コネクタハウジングの外面には、第１フック部及び第２フック部が係止する部分を容易に形成することができる。そのため、雌雄コネクタハウジングの嵌合解離が可能なタイプと、雌雄コネクタハウジングの嵌合解離が不可能なタイプとの共通化が可能になる。
【００１２】
本発明の請求項２に記載の嵌合保証部品は、請求項１において、前記連結部は、前記第１フック部と前記第２フック部とが完全嵌合状態の前記雌雄コネクタハウジングに係合する長さを有するものである。
この構成によると、雌雄コネクタハウジングが完全な嵌合状態にない半嵌合の状態であると、嵌合保証部品の両フック部をコネクタハウジングに係止することができないため、雌雄コネクタハウジングの半嵌合を検出できる。
【００１３】
本発明の請求項３に記載の嵌合保証部品は、請求項１または請求項２において、前記第１フック部及び前記第２フック部の少なくとも一方が、雌雄コネクタハウジングのいずれかに係合するときに、前記連結部に対して弾性変形可能に一体に設けられているものである。
この構成によると、第１フック部と第２フック部の一方を雌雄コネクタハウジングの一方に係止した後、第１フック部と第２フック部の他方を雌雄コネクタハウジングの他方に係止する。そのときに、他方のフック部が連結部に対して開く方向に弾性変形するので、雌雄コネクタハウジングの他方に容易に係止させることができる。
【００１４】
本発明の請求項４に記載の嵌合保証部品は、請求項１において、前記雌雄コネクタハウジングは、操作部が外面に現れる嵌合ロック手段を有し、前記連結部は、外面に現れる前記操作部を覆うように配設されているものである。
この構成によると、嵌合保証部品の連結部が、外面に現れる操作部を覆うため、外部からの嵌合ロック手段解除が不可能になり、雌雄コネクタハウジングの嵌合解離防止はより確実となる。
【００１５】
上記課題を解決する本発明の請求項５に記載の嵌合保証部品付きコネクタは、相互に嵌合可能な雄型コネクタハウジング及び雌型コネクタハウジングと、前記雌雄コネクタハウジングの間に設けられ、雌雄コネクタハウジングの外面に現れる嵌合ロック手段と、前記雌雄コネクタハウジングの一方側に係合する第１フック部と、前記雌雄両コネクタハウジングの他方側に係合する第２フック部と、両フック部の間の連結部とからなる嵌合保証部品であって、前記嵌合ロック手段に被さる位置に配設された嵌合保証部品と、を有して成るものである。
【００１６】
上記構成によると、嵌合保証部品が、雌雄コネクタハウジングの間の嵌合ロック手段に被さる位置に配設されている。そのため、雌雄コネクタハウジングの外面に現れる嵌合ロック手段の適所に第１フック部と第２フック部を係止させることが可能になる。これにより、雌雄コネクタハウジングの外形をそのまま利用し、嵌合ロック手段を二重に連結する嵌合保証部品とすることができ、雌雄コネクタハウジングの解離防止は確実となる。
【００１７】
本発明の請求項６に記載の嵌合保証部品付きコネクタは、請求項５において、前記嵌合ロック手段は、前記雌雄コネクタハウジングの一方の外面に沿って延びる片持ち状のロックアームであって、係合側ロック部を備えるロックアームと、前記雌雄コネクタハウジングの他方の外面に、前記ロックアームが挿入又は被さるように設けられた受け部であって、前記係合側ロック部に対する被係合側ロック部を備える受け部とからなり、前記１フック部は前記ロックアームに係止され、前記第２フック部は、前記受け部に係止されるものである。
上記構成によると、外部からの操作力で係合を解除できるロックアームと受け部とを用いた嵌合ロック手段の場合、嵌合保証部品の第１フック部とロックアームを係合させ、第２フック部と受け部とを係合させることにより、雌雄コネクタハウジングの外面への突設部分を利用して嵌合保証部品を強固に係合させることができる。また、ロックアームと受け部とのほとんどが嵌合保証部品の連結部で覆われ、嵌合ロック手段の外部操作による解除を防止することができる。
【００１８】
【発明の実施の形態】
以下、図面を参照して、本発明の好適な実施の形態となる嵌合保証部品付きコネクタ及びその嵌合保証部品を詳細に説明する。
【００１９】
図１は、本発明の好適実施例となる嵌合保証部品付きコネクタを示す図である。図１（ａ）はその正面の断面図であり、図１（ｂ）はその上面図であり、図１（ｃ）はその右側面図である。図２は、本発明の好適実施例となる嵌合保証部品を示す図である。図２（ａ）は、その正面図であり、図２（ｂ）はその底面図であり、図２（ｃ）はその右側面図である。図３は、プラグ型ハウジングを示す図である。図３（ａ）は、正面の断面図であり、図３（ｂ）は、上面の半断面図である。図４は、リセプタクル型ハウジングを示す図である。図４（ａ）は、正面の断面図であり、図４（ｂ）は上面の半断面図である。
【００２０】
図１に示される電気コネクタ１０は、プラグ型ハウジング（雄型コネクタハウジング）２０と、リセプタクル型ハウジング（雌型コネクタハウジング）３０と、両ハウジング２０，３０の間に設けられ、両ハウジング２０，３０の嵌合状態をロックする嵌合ロック手段４０と、嵌合ロック手段４０を覆うようにして両ハウジング２０，３０に係合される嵌合保証部品（Ｃｏｎｎｅｃｔｏｒ　Ｐｏｓｉｔｉｏｎ　Ａｓｓｕｒａｎｃｅｄｅｖｉｃｅ又はＣＰＡ）５０とを有する。なお、図示の電気コネクタ１０は極数４極となった中継コネクタで表される。
【００２１】
図２によれば、嵌合保証部品５０は、連結部５１と、連結部５１の一方側の垂直下方に延在するように形成された第１フック部５２と、連結部５１の他方側から垂直下方に延在するように形成された第２フック部５３とを有する。第１フック部５２は、脚部５２１と、脚部５２１の端が内向きに傾斜する傾斜面５２２と、傾斜面５２２の先端で内向きに突出する爪５２３とを有する。第２フック部４３は、脚部５３１と、脚部５３１の端が水平となった水平面５３２と、水平面５３２の先端が内向きに突出する爪５３３とを有する。嵌合保証部品５０は、熱可塑性又は熱硬化性の比較的硬質のプラスチック材料、或いは金属材料により形成される。第１フック部５２及び第２フック部５３は、連結部５１に対して、僅かに開脚方向に弾性変形可能に一体に設けられている。
【００２２】
図３のプラグ型ハウジング（雄型コネクタハウジング）２０は、上下二列左右二列に内設された４つのコンタクト受容空間２１と、その外側基部から外面に沿いつつ内側に向かって延びる片持ち状のロックアーム（嵌合ロック手段）２２とを有する。コンタクト受容空間２１には、ソケット型のコンタクト２１１（図１参照）が挿入され、ハウジングランス２１２によって抜け止めされる。さらに、プラグ型ハウジング２０に凹凸係合するリテーナ２３が、コンタクト受容空間２１の入口縁部に対して挿入可能に設けられる。このリテーナ２３の先端がコンタクト２１１に突き当たることにより、コンタクト２１１は二重に抜け止めされる。
【００２３】
図４のリセプタクル型ハウジング（雌型コネクタハウジング）３０は、上下二列左右二列に内設された４つのコンタクト受容空間３１と、プラグ型ハウジング２０の先端を受け入れる中央空間３２と、その内側基部から外面に沿って外側に向かって延びるブリッジ状の受け部（嵌合ロック手段）３３とを有する。コンタクト受容空間３１には、ピン型のコンタクト３１１（図１参照）が挿入され、ハウジングランス３１２によって抜け止めされる。さらに、リセプタクル型ハウジング３０に凹凸係合するリテーナ３４が、コンタクト受容空間３１の入口縁部に対して挿入可能に設けられる。このリテーナ３４の先端がコンタクト３１１に突き当たることにより、コンタクト３１１は二重に抜け止めされる。
【００２４】
上述した両ハウジング２０，３０は、熱可塑性又は熱硬化性のプラスチック材料又はエラストマー材料で形成される。これらの両ハウジング２０，３０を形成する好ましい方法は例えば射出成形である。
【００２５】
図１の嵌合ロック手段４０は、プラグ型ハウジング２０のロックアーム２２と、ロックアーム２２に設けられた係合凸部（係合側ロック部）２２４と、リセプタクル型ハウジング３０の受け部３３と、受け部３３に設けられた係合凹部（被係合側ロック部）３３２とから形成される。図３に示すように、ロックアーム２２は、ハウジング２０の外側基部に幅方向に一対が立設されたＬ字状アーム２２１と、Ｌ字状アーム２２１の先端の間に挟まれたプレート部分２２２と、プレート部分２２２の始端側に位置する操作部２２３と、プレート部分２２２の先端側に上向きに突出する係合凸部（係合部）２２４と、プレート部分２２２の先端の傾斜部２２５とを含む。
【００２６】
図４に示すように、ブリッジ状の受け部３３は、ロックアーム２２の受容空間３３１と、受容空間３３１の奥側に上向きに掘られた係合凹部（被係合側ロック部）３３２とを含む。図１に示すように、リセプタクル型ハウジング３０にプラグ型ハウジング２０を嵌合していくと、ロックアーム２２の先端の傾斜部が受け部３３の入口に当たってロックアーム２２は下方に弾性変形する。ロックアーム２２の係合凸部２２４が受け部３３の受容空間３３１を通り抜ける。すると、係合凸部（係合側ロック部）２２４が、受け部３３の係合凹部（被係合側ロック部）３３２に嵌まる。これにより、両ハウジング２０，３０の嵌合状態がロックされる。このようにロックアーム２２と受け部３３との凹凸係合が受け部３３の内部で行われる方式は一般にインナーロックと呼ばれる。なお、この両ハウジング２０，３０の嵌合と同時に、ソケット型のコンタクト２１１とピン型のコンタクト３１１との電気的導通が確保される。
【００２７】
嵌合保証部品５０は、嵌合状態がロックされたプラグ型ハウジング２０及びリセプタクル型ハウジング３０の両方に係合するように適用される。まず、嵌合保証部品５０の全体を斜めにして、第２フック部５３を、リセプタクル型ハウジング３０の受け部３３の外側端に係合させるとともに、爪５３３をロックアーム２２の下方の受容空間３３１に位置させる。つぎに、嵌合保証部品５０の浮き上がった側を押し込む。すると、第１フック部５２の傾斜面５２２がロックアーム２２のプレート部２２２の端を乗り越えるように弾性変形し、爪５２２がプレート部２２２の下側に係止される。同時に、第１フック部５２の内面がプレート部２２２の先端に係合する。
【００２８】
図１に示すように、嵌合保証部品５０の第１フック部５２は、プラグ型ハウジング２０のロックアーム２２に係合し、嵌合保証部品５０の第２フック部５３は、リセプタクル型ハウジング３０の受け部３３に係合する。このロックアーム２２と受け部３３は両ハウジング２０，３０の嵌合ロック手段４０を形成している。そのため、嵌合ロック手段４０が嵌合保証部品５０によって二重にロックされる。
【００２９】
図５は、本発明の他の好適実施例となる嵌合保証部品付きのコネクタを示す図である。図５（ａ）はその正面の断面図であり、図５（ｂ）はその右側面図である。図６は、本発明の他の好適実施例となる嵌合保証部品を示す図である。図６（ａ）は、その正面図であり、図６（ｂ）はその右側面図であり、図６（ｃ）はその底面図である。
【００３０】
図５及び図６に示すように、嵌合保証部品６０の形状が図１及び図２のものと異なる。連結部６１と第２フック部６３の形状は図１及び図２のものと同様である。しかし、第１フック部６２が、ロックアーム２２のプレート２２２の端に係合するとともに、Ｌ字状アーム２２１とハウジング本体との間の隙間２２５に内側から係止されるようになっている点が異なる。
【００３１】
図６に示すように、第１フック部６２は、幅方向の弾性変形を確保するための切欠き６２１と、幅方向両端の傾斜部６２２と、幅方向両端で外向きに突出する爪６２３とを含む。図５において、第２フック部６３をリセプタクル型ハウジング３０の受け部３３に係合させ、第１フック部６２を押し込むと、第１フック部６２がその幅を狭くするように弾性変形し、爪６２３がＬ字状アーム２２１の間を通過する。すると、爪６２３が隙間２２５に内側から係止され、嵌合保証部品６０は外れない。そして、ロックアーム２２のプレート部２２２の端が第１フック部６２の内側に当たっており、嵌合保証部品６０は嵌合ロック部４０を二重にロックする。
【００３２】
図７は、本発明の更に他の好適実施例となる嵌合保証部品付きのコネクタを示す図である。図７（ａ）はその正面の断面図であり、図７（ｂ）はその右側面図である。図８は、本発明の更に他の好適実施例となる嵌合保証部品を示す図である。図８（ａ）は、その正面図であり、図８（ｂ）はその右側面図であり、図８（ｃ）はその底面図である。
【００３３】
図７及び図８に示すように、嵌合保証部品７０の形状が図１及び図２のものと異なる。連結部７１と第２フック部７３の形状は図１及び図２のものと同様である。しかし、第１フック部７２が、ロックアーム２２のプレート部２２２の端に係合するとともに、Ｌ字状アーム２２１とハウジング本体との間の隙間２２５に外側から係止するようになっている点が異なる。
【００３４】
図７に示すように、第１フック部７２は、ロックアーム２２のプレート部２２２との係合を確保するための中央部分７２１と、中央部分７２１と所定間隔を隔てて下方に延びる一対の脚部７２２と、脚部７２２の下端の傾斜部７２３と、脚部７２２の幅方向内向きに突出する爪７２４とを含む。図９において、第２フック部７３をリセプタクル型ハウジング３０の受け部３３に係合させ、第１フック部７２を押し込むと、第１フック部７２の脚部７２２が広がるように弾性変形し、爪７２３がＬ字状アーム２２１の外側を通過する。すると、爪７２３が隙間２２５に外側から係止され、嵌合保証部品７０は外れない。そして、ロックアーム２２のプレート部２２２の端が第１フック部７２の中央部分７２１に当たっており、嵌合保証部品７０は嵌合ロック部４０を二重にロックする。
【００３５】
上述した実施形態に係る嵌合保証部品付きコネクタ及びその嵌合部品の利点を以下に説明する。
まず、嵌合ロック手段４０を形成するロックアーム２０と受け部３３を介して両ハウジング２０，３０が嵌合保証部品５０で二重にロックされる構造である。嵌合ロック手段４０だけの場合、無理抜きなどの強力な外力が作用してその凹凸係合部が塑性変形すると、両ハウジング２０，３０が外れる。しかし、この嵌合ロック手段４０を嵌合保証部品５０，６０，７０で覆う様に更にロックしているため、両ハウジング２０，３０の嵌合強度は実際上外すことが不可能となる程度まで向上する。また、コンタクト２１１，３１１に対するロックも、ハウジングランス２１２，３１２とリテーナ２３，３４とによる二重にすると、中継形式である電気コネクタ１０の両側に延びる電線を引っ張ったときの解離の防止が格段に優れたものとなる。
【００３６】
また、両ハウジング２０，３０の外面から突出して設けられる嵌合ロック手段４０に嵌合保証部品５０を嵌めるため、両ハウジング２０，３０に特別の加工を必要としない。電気コネクタ１０として嵌合した後で、特に二重ロックが必要な場合には、嵌合保証部品５０を嵌める。そのため、二重ロック用のために、多品種のハウジングを用意する必要がなくなる。
【００３７】
また、嵌合保証部品５０，６０，７０は、嵌合ロック手段４０に被さるように配設されるため、嵌合ロック手段４０の操作部２２３が嵌合保証部品５０，６０，７０で覆われ、嵌合ロック手段４０を解除しようとする外力を作用させることができなくなる。また、嵌合保証部品５０，６０，７０の連結部の長さが、嵌合状態のロークアーム２０と受け部３３とに嵌まる長さを有している。そのため、両ハウジング２０，３０が半嵌合状態であると、嵌合保証部品５０，６０，７０を嵌めることができず、半嵌合を検出することができる。また、嵌合保証部品５０，６０，７０の第１フック部５２，６２，７２が連結部５１，６１，７１に対して弾性変形可能に設けられている為、嵌合保証部品５０，６０，７０を嵌合ロック手段４０に嵌める作業が容易にできる。
【００３８】
なお、上述した実施形態に係る嵌合保証部品付きコネクタ及び嵌合保証部品は、以下のように変更して実施することがでる。
嵌合保証部品が両ハウジング２０，３０に係合する場所は、嵌合ロック手段４０に限らない。嵌合保証部品の一方のフック部を両ハウジング２０，３０の一方の嵌合ロック手段に係合させ、嵌合保証部品の他方のフック部を両ハウジング２０，３０の他方に位置するコンタクト挿入口の縁部とすることができる。また、嵌合保証部品の両方のフック部を、両ハウジング２，３０の嵌合ロック部４０とは反対側の側面であって、両ハウジング２０，３０のコンタクト挿入口の縁部とすることができる。嵌合保証部品のフック部を係合できる箇所があれば、当該箇所を利用して両ハウジング２０，３０をロックすることができる。
【００３９】
嵌合ロック手段４０もインナーロック形式に限らない。ロックアームの係合側ロック部である係合凸部が下向きに突出し、受け部の被係合側ロック部である係合凹部が外向きに突出したアウターロック形式の嵌合ロック手段であってもよい。このアウターロック形式の場合も、ロックアームと受け部との間で嵌合保証部品を適用することができる。
【００４０】
さらに、両ハウジング２０，３０の接続形式も中継コネクタの形式に限らない。図９に示すように、雌型コネクタハウジング８１が基板付きのピンコンタクトであって、雄型コネクタハウジング８２がこれに挿入されるフリクション形式の電気コネクタ８０にも適用される。この場合、雄型コネクタハウジング８２の側面に突設された係合凸部８３と、雌型コネクタハウジング８１の側面に開口する係合凹部８４とが嵌合ロック手段８５を形成する。そして、雄型コネクタハウジング８２のコンタクト挿入口の縁部に引っかかる第１フック部９１と、雌型コンタクトハウジング８１の下方のスリット８１１に引っかかる第２フック部９２と、連結部９３とを有する嵌合保証部品９０を使用することができる。
【００４１】
さらに、電気コネクタに限らず、光コネクタにも、本実施形態の嵌合保証部品を適用できる。
【００４２】
【発明の効果】
以上に説明したように、本発明の請求項１に係るによると、嵌合状態の雌雄コネクタハウジングの一方側に係合するように第１フック部を係合させ、嵌合状態の雌雄コネクタハウジング他方側に係合するように第２フック部を係合させ、連結部を介して嵌合状態の雌雄コネクタハウジングがロックされる。そのため、雌雄コネクタハウジングの解離防止は嵌合保証部品によって強固に保証されるという効果を奏する。また、雌雄コネクタハウジングの外面には、第１フック部及び第２フック部が係止する部分を容易に形成することができる。そのため、雌雄コネクタハウジングの嵌合解離が可能なタイプと、雌雄コネクタハウジングの嵌合解離が不可能なタイプとの共通化が可能になるという効果を奏する。
【００４３】
請求項２に係るによると、雌雄コネクタハウジングが完全な嵌合状態にない半嵌合の状態であると、嵌合保証部品の両フック部をコネクタハウジングに係止することができないため、雌雄コネクタハウジングの半嵌合を検出できるという効果を奏する。
【００４４】
請求項３に係るによると、第１フック部と第２フック部の一方を雌雄コネクタハウジングの一方に係止した後、第１フック部と第２フック部の他方を雌雄コネクタハウジングの他方に係止するときに、他方のフック部が連結部に対して開く方向に弾性変形するので、雌雄コネクタハウジングの他方に容易に係止させるという効果を奏する。
【００４５】
請求項４に係るによると、嵌合保証部品の連結部が、外面に現れる操作部を覆うため、外部からの嵌合ロック手段解除が不可能になり、雌雄コネクタハウジングの嵌合解離防止はより確実となるという効果を奏する。
【００４６】
請求項５に係る発明によると、嵌合保証部品が、雌雄コネクタハウジングの間の嵌合ロック手段に被さる位置に配設されている。そのため、雌雄コネクタハウジングの外面に現れる嵌合ロック手段の適所に第１フック部と第２フック部を係止させることが可能になる。これにより、雌雄コネクタハウジングの外形をそのまま利用し、嵌合ロック手段を二重に連結する嵌合保証部品とすることができ、雌雄コネクタハウジングの解離防止は確実となるという効果を奏する。
【００４７】
請求項６に係る発明によると、外部からの操作力で係合を解除できるロックアームと受け部とを用いた嵌合ロック手段の場合、嵌合保証部品の第１フック部と第２フック部とをロックアームと受け部とに係止させることにより、雌雄コネクタハウジングの外面への突設部分を利用して嵌合保証部品を強固に係合させるという効果を奏する。また、ロックアームと受け部とのほとんどが嵌合保証部品の連結部で覆われ、嵌合ロック手段の外部操作による解除を防止するという効果を奏する。
【図面の簡単な説明】
【図１】本発明の好適実施例となる嵌合保証部品付きコネクタを示す図である。
【図２】本発明の好適実施例となる嵌合保証部品を示す図である。
【図３】プラグ型ハウジングを示す図である。
【図４】リセプタクル型ハウジングを示す図である。
【図５】本発明の他の好適実施例となる嵌合保証部品付きのコネクタを示す図である。
【図６】本発明の他の好適実施例となる嵌合保証部品を示す図である。
【図７】本発明の更に他の好適実施例となる嵌合保証部品付きのコネクタを示す図である。
【図８】本発明の更に他の好適実施例となる嵌合保証部品を示す図である。
【図９】本発明の更に他の好適実施例となる嵌合保証付きコネクタを示す図である。
【符号の説明】
１０　　　電気コネクタ（嵌合保証部品付きコネクタ）
２０　　　プラグ型ハウジング（雄型コネクタハウジング）
２２　　　ロックアーム
２２３　　操作部
２２４　　係合凸部（係合側ロック部）
３０　　　リセプタクル型ハウジング（雌型コネクタハウジング）
３３　　　受け部
４０　　　嵌合ロック手段
５０，６０，７０　　　嵌合保証部品
５１，６１，７１　　　連結部
５２，６３，７３　　　第１フック部
５３，６３，７３　　　第２フック部
【図１】
2004134308.tif 000003
【図２】
2004134308.tif 000004
【図３】
2004134308.tif 000005
【図４】
2004134308.tif 000006
【図５】
2004134308.tif 000007
【図６】
2004134308.tif 000008
【図７】
2004134308.tif 000009
【図８】
2004134308.tif 000010
【図９】
2004134308.tif 000011